(57)【要約】【課題】デジタルテレビ放送に対応したホームサーバ視聴システム等の緊急放送装置に係り、既に録画されている収録済番組を再生しているときに、緊急放送が流れた場合でも、自動的に緊急放送に切り替えることを課題とする。【解決手段】ホームサーバ２は、緊急警報検出部１１で、デジタル放送波から変換された放送中の番組が緊急放送であるかを判定し、緊急警報送出部１２は、緊急情報記述子を、再生中の収録済番組に多重化して送出する。視聴端末５は、上記収録済番組から緊急情報記述子を検出した場合に、緊急放送である上記放送中の番組を選択し、再生する。【選択図】        図２
2004289279.tif 000002
【特許請求の範囲】
【請求項１】
デジタル放送波から復調された放送中の番組が緊急放送であるかを判定し、緊急放送である場合に、ネットワークを介して視聴端末に、緊急放送の放送中であることを識別する情報を、放送中の番組以外の視聴端末向け番組に多重化して通知するサーバと、
サーバから送られた上記視聴端末向け番組から上記通知を検出した場合に、緊急放送である上記放送中の番組を選択し、再生する視聴端末とからなるネットワーク型緊急放送装置。
【請求項２】
デジタル放送波から復調された放送中の番組のＴＳデータ（トランスポートストリームデータ）を伝送する受信用チャンネルと、サーバから送出された視聴端末向け番組のＴＳデータを伝送する転送用チャンネルとを備えたネットワークを介して、互いに接続されているサーバと視聴端末とからなるネットワーク型緊急放送装置であって、
サーバは、
（１）受信用チャンネルから、放送中の番組のＴＳデータを取得し、取得したＴＳデータから緊急情報記述子を検出するサーバ側緊急警報検出部と、
（２）緊急情報記述子を検出した場合に、視聴端末向け番組を構成するＴＳデータに、緊急情報記述子を多重化し、転送用チャンネルに送出する緊急警報送出部とを有し、
視聴端末は、
（３）ＴＳデータを取得する取得対象チャンネルを選択するチャンネル選択部と、
（４）ネットワークから取得したＴＳデータから緊急情報記述子を検出する視聴端末側緊急警報検出部と、
（５）緊急情報記述子を検出した場合に、上記取得対象チャンネルを受信用チャンネルに切り替える指示をチャンネル選択部へ行う制御機能部とを有することを特徴とするネットワーク型緊急放送装置。
【請求項３】
緊急警報送出部は、視聴端末向け番組を送出中か判断し、視聴端末向け番組を送出中の場合に限り、上記多重化及び上記送出の処理を行うことを特徴とする請求項２記載のネットワーク型緊急放送装置。
【請求項４】
制御機能部は、サーバからの視聴端末向け番組を取得中か判断し、視聴端末向け番組を取得中の場合に限り、上記指示の処理を行うことを特徴とする請求項２記載のネットワーク型緊急放送装置。
【請求項５】
制御機能部は、上記指示の処理に併せて、サーバへ視聴端末向け番組の送出を停止する指示を行うことを特徴とする請求項２又は４記載のネットワーク型緊急放送装置。
【請求項６】
サーバは、更に、視聴端末向け番組を記憶する収録済番組記憶部を有することを特徴とする請求項２記載のネットワーク型緊急放送装置。
【請求項７】
上記収録済番組記憶部は、受信用チャンネルから取得した番組を、収録済番組として記憶することを特徴とする請求項６記載のネットワーク型緊急放送装置。
【請求項８】
視聴端末向け番組を構成するデジタルデータは、音声を符号化したデータを含むことを特徴とする請求項２のネットワーク型緊急放送装置。
【請求項９】
視聴端末向け番組を構成するデジタルデータは、更に動画を符号化したデータを含むことを特徴とする請求項２のネットワーク型緊急放送装置。
【請求項１０】
デジタル放送波から復調された放送中の番組のＴＳデータ（トランスポートストリームデータ）を伝送する受信用チャンネルと、サーバから送出された視聴端末向け番組のＴＳデータを伝送する転送用チャンネルとを備えたネットワークを介して視聴端末と接続可能なサーバであって、以下の要素を有することを特徴とするサーバ
（１）受信用チャンネルから、放送中の番組のＴＳデータを取得し、取得したＴＳデータから緊急情報記述子を検出するサーバ側緊急警報検出部
（２）緊急情報記述子を検出した場合に、視聴端末向け番組を構成するＴＳデータに、緊急情報記述子を多重化し、転送用チャンネルに送出する緊急警報送出部。
【請求項１１】
デジタル放送波から復調された放送中の番組のＴＳデータ（トランスポートストリームデータ）を伝送する受信用チャンネルと、サーバから送出された視聴端末向け番組のＴＳデータを伝送する転送用チャンネルとを備えたネットワークを介してサーバと接続可能な視聴端末であって、以下の要素を有することを特徴とする視聴端末
（１）ＴＳデータを取得する取得対象チャンネルを選択するチャンネル選択部
（２）ネットワークから取得したＴＳデータから緊急情報記述子を検出する視聴端末側緊急警報検出部
（３）緊急情報記述子を検出した場合に、上記取得対象チャンネルを転送用チャンネルから受信用チャンネルに切り替える指示をチャンネル選択部へ行う制御機能部。
【発明の詳細な説明】
【０００１】
【発明の属する技術分野】
本発明は、デジタルテレビ放送に対応したホームサーバ視聴システム等の緊急放送装置に係り、既に録画されている収録済番組を再生しているときに、緊急放送が流れた場合でも、自動的に緊急放送に切り替える技術に関する。
【０００２】
【従来の技術】
図５は、従来技術におけるホームサーバ視聴システムの構成を示す図である。本システムは、デジタル放送を受信し、視聴する為のシステムであり、ＩＥＥＥ１３９４のような複数のチャンネルを伝送可能なホームネットワーク１０に接続された受信機１と、同じくホームネットワーク１０に接続されたホームサーバ２と視聴端末５から構成されている。
【０００３】
受信機１は、アンテナに接続され、アンテナで受信したデジタル放送波を入力し、入力したデジタル放送波をＴＳデータ（トランスポートストリームデータ）に復調し、復調したＴＳデータをホームネットワーク１０の受信用チャネル（この例では、チャンネル０）へ送出するように構成されている。このように、受信用チャネルで伝送されているＴＳデータにより構成される番組を、放送中の番組という。
尚、ＴＳデータは、番組を構成する映像、音声等を符号化したストリームデータと、緊急情報記述子等の番組配列情報とを多重化した構造となっている。
【０００４】
ホームサーバ２は、常時ホームネットワーク１０上の放送中の番組のＴＳデータを取得し、更に取得したＴＳデータをライブ番組としてライブ番組記憶部３に記憶するように構成されている。また、ライブ番組記憶部３に記憶したライブ番組を選択的に（例えば、外部からの指示に従って選択する）、収録済番組として収録済番組記憶部４に記憶させるように構成されている。収録済番組は、再生を前提としたＴＳデータ群として記憶され、ホームサーバ２の内部で記憶しているオブジェクトリストによって管理されている。再生の際には、視聴者が操作するリモコン装置等により指定された収録済番組を、ホームネットワーク１０の転送用チャンネル（この例では、チャンネル１）に送出するように構成されている。
【０００５】
視聴端末５は、視聴者が操作するリモコン装置等の指示に従ってチャンネル選択部６によりチャンネルを選択し、選択した取得対象チャンネルからＴＳデータを取得し、取得したＴＳデータを映像再生部８で映像に再生するように構成されている。従って、チャンネル選択部６で、受信用チャンネルを選択した場合には、受信機１で受信している放送中の番組を再生し、他方、転送用チャンネルを選択した場合には、収録済番組記憶部４に蓄積されている収録済番組を再生することになる。更に、視聴端末５は、緊急放送を検出し、緊急放送に応じた緊急動作を行うように構成されている。その為に、緊急警報検出部７は、取得したＴＳデータ中に含まれる緊急情報記述子の有無を判定し、緊急情報記述子を検出するように構成されており、制御機能部９は、緊急情報記述子が検出された場合に、自動的に電源をＯＮしたり、音量を大きくするなどの緊急動作を処理するように構成されている。
【０００６】
続いて、動作について説明する。受信機１は、常時入力したデジタル放送波をＴＳデータに復調し、受信用チャネルへ送出している。ホームサーバ２は、常時受信機１からのＴＳデータを取得し、ライブ番組としてライブ番組記憶部３に記憶している。そして、適宜ライブ番組記憶部３から抽出されたライブ番組を、収録済番組として収録済番組記憶部４に記憶する。この状態で、視聴者が操作するリモコン等により収録済番組の再生を指示されると、指定された収録済番組を収録済番組記憶部４から転送用チャンネルに送出する。視聴端末５は、リモコン装置等の指示に従ってチャンネル選択部６によりチャンネルを選択し、選択したチャンネルからＴＳデータを取得する。取得したＴＳデータは、緊急警報検出部７を介して映像再生部８で再生される。緊急警報検出部７で、ＴＳデータ中に含まれる緊急情報記述子を検出した場合には、制御機能部９に対して緊急情報の通知を行う。制御機能部９は、緊急情報の通知を受けた場合には、予め定義されている緊急動作の処理を実行する。
【０００７】
このような従来のホームサーバ視聴システムにおいて、放送中の番組を再生中に、緊急放送（例えば、津波警戒の為の放送であって、ＴＳデータ中に緊急情報記述子が多重化されている。）が流れた場合には、視聴端末５で再生中のＴＳデータ（放送中の番組のもの）に緊急情報記述子が含まれるため、正常に緊急動作が行われる。
しかし、収録済番組を再生中に、緊急放送が流れた場合には、視聴端末５で再生中のＴＳデータ（収録済番組のもの）に緊急情報記述子が含まれないため、緊急動作が行われないという問題が生じる。
【０００８】
この問題の状態を、図を用いて説明する。図６は、従来技術において収録済番組再生中に受信した緊急情報記述子の流れを示す図である。
受信中の緊急放送のＴＳデータに含まれる緊急情報記述子は、受信機１からホームネットワーク１０の受信用チャネルに送出され、ライブ番組に付随してライブ番組記憶部３に記憶される。しかし、その時、収録済番組を再生している場合には、緊急情報記述子が視聴端末５に伝達されることはない。
【０００９】
【特許文献１】
特開平０９−５１５１４号公報
【特許文献２】
特開２０００−９９４４１号公報
【特許文献３】
特開２０００−９２４６８号公報
【特許文献４】
特開平１０−９８６８６号公報
【００１０】
【発明が解決しようとする課題】
本発明は、上記した従来技術の欠点を除くためになされたものであって、その目的とするところは、既に録画されている収録済番組を再生しているときであっても、緊急放送が流れた場合には、自動的に緊急放送に切り替えることである。
【００１１】
【課題を解決するための手段】
本発明に係るネットワーク型緊急放送装置は、
デジタル放送波から復調された放送中の番組が緊急放送であるかを判定し、緊急放送である場合に、ネットワークを介して視聴端末に、緊急放送の放送中であることを識別する情報を、放送中の番組以外の視聴端末向け番組に多重化して通知するサーバと、
サーバから送られた上記視聴端末向け番組から上記通知を検出した場合に、緊急放送である上記放送中の番組を選択し、再生する視聴端末とからなる。
【００１２】
本発明に係るネットワーク型緊急放送装置は、
デジタル放送波から復調された放送中の番組のＴＳデータ（トランスポートストリームデータ）を伝送する受信用チャンネルと、サーバから送出された視聴端末向け番組のＴＳデータを伝送する転送用チャンネルとを備えたネットワークを介して、互いに接続されているサーバと視聴端末とからなるネットワーク型緊急放送装置であって、
サーバは、
（１）受信用チャンネルから、放送中の番組のＴＳデータを取得し、取得したＴＳデータから緊急情報記述子を検出するサーバ側緊急警報検出部と、
（２）緊急情報記述子を検出した場合に、視聴端末向け番組を構成するＴＳデータに、緊急情報記述子を多重化し、転送用チャンネルに送出する緊急警報送出部とを有し、
視聴端末は、
（３）ＴＳデータを取得する取得対象チャンネルを選択するチャンネル選択部と、
（４）ネットワークから取得したＴＳデータから緊急情報記述子を検出する視聴端末側緊急警報検出部と、
（５）緊急情報記述子を検出した場合に、上記取得対象チャンネルを受信用チャンネルに切り替える指示をチャンネル選択部へ行う制御機能部とを有することを特徴とする。
【００１３】
緊急警報送出部は、視聴端末向け番組を送出中か判断し、視聴端末向け番組を送出中の場合に限り、上記多重化及び上記送出の処理を行うことを特徴とする。
【００１４】
制御機能部は、サーバからの視聴端末向け番組を取得中か判断し、聴端末向け番組を取得中の場合に限り、上記指示の処理を行うことを特徴とする。
【００１５】
制御機能部は、上記指示の処理に併せて、サーバへ視聴端末向け番組の送出を停止する指示を行うことを特徴とする。
【００１６】
サーバは、更に、視聴端末向け番組を記憶する収録済番組記憶部を有することを特徴とする。
【００１７】
上記収録済番組記憶部は、受信用チャンネルから取得した番組を、収録済番組として記憶することを特徴とする。
【００１８】
視聴端末向け番組を構成するデジタルデータは、音声を符号化したデータを含むことを特徴とする。
【００１９】
視聴端末向け番組を構成するデジタルデータは、更に動画を符号化したデータを含むことを特徴とする。
【００２０】
本発明に係るサーバは、
デジタル放送波から復調された放送中の番組のＴＳデータ（トランスポートストリームデータ）を伝送する受信用チャンネルと、サーバから送出された視聴端末向け番組のＴＳデータを伝送する転送用チャンネルとを備えたネットワークを介して視聴端末と接続可能なサーバであって、以下の要素を有することを特徴とする
（１）受信用チャンネルから、放送中の番組のＴＳデータを取得し、取得したＴＳデータから緊急情報記述子を検出するサーバ側緊急警報検出部
（２）緊急情報記述子を検出した場合に、視聴端末向け番組のＴＳデータに、緊急情報記述子を多重化し、転送用チャンネルに送出する緊急警報送出部。
【００２１】
本発明に係る視聴端末は、
デジタル放送波から復調された放送中の番組のＴＳデータ（トランスポートストリームデータ）を伝送する受信用チャンネルと、サーバから送出された視聴端末向け番組のＴＳデータを伝送する転送用チャンネルとを備えたネットワークを介してサーバと接続可能な視聴端末であって、以下の要素を有することを特徴とする
（１）ＴＳデータを取得する取得対象チャンネルを選択するチャンネル選択部
（２）ネットワークから取得したＴＳデータから緊急情報記述子を検出する視聴端末側緊急警報検出部
（３）緊急情報記述子を検出した場合に、上記取得対象チャンネルを転送用チャンネルから受信用チャンネルに切り替える指示をチャンネル選択部へ行う制御機能部。
【００２２】
【発明の実施の形態】
実施の形態１．
以下本発明を図面に示す実施例に基づいて説明する。図１は、本発明に係るネットワーク型緊急放送装置の構成を示す図である。
本システムは、デジタル放送を受信し、視聴する為のシステムであり、ＩＥＥＥ１３９４のような複数のチャンネルを伝送可能なホームネットワーク１０に接続された受信機１と、同じくホームネットワーク１０に接続されたホームサーバ２（サーバの例）と視聴端末５から構成されている。
特に、ホームサーバ２と視聴端末５により、本発明に係るネットワーク型緊急放送装置が構成される。
【００２３】
受信機１は、アンテナに接続され、アンテナで受信したデジタル放送波を入力し、入力したデジタル放送波をＴＳデータ（トランスポートストリームデータ）に復調し、復調したＴＳデータをホームネットワーク１０の受信用チャネル（この例では、チャンネル０）へ送出するように構成されている。このように、受信用チャネルで伝送されているＴＳデータにより構成される番組を、放送中の番組という。
尚、ＴＳデータは、番組を構成する映像、音声等を符号化したストリームデータと、緊急情報記述子等の番組配列情報とを多重化した構造となっている。
【００２４】
ホームサーバ２は、常時ホームネットワーク１０上のＴＳデータを取得し、更に取得したＴＳデータをライブ番組としてライブ番組記憶部３に記憶するように構成されている。また、ライブ番組記憶部３に記憶したライブ番組を選択的に（例えば、外部からの指示に従って選択する）、収録済番組として収録済番組記憶部４に記憶させるように構成されている。収録済番組は、再生を前提としたＴＳデータ群であって、ホームサーバ２の内部で記憶しているオブジェクトリストによって管理されている。再生の際には、視聴者が操作するリモコン装置等により指定された収録済番組を、ホームネットワーク１０の転送用チャンネル（この例では、チャンネル１）に送出するように構成されている。
上述の従来の構成要素に加え、本発明では特に、取得したＴＳデータ中に含まれる緊急情報記述子の有無を判定し、緊急情報記述子を検出する緊急警報検出部１１と、緊急警報検出部１１からの緊急情報の通知（緊急情報記述子を含む）に従って、緊急情報記述子を送出中の収録済番組のＴＳデータに多重化し、多重化したＴＳデータを送出する緊急警報送出部１２とを備えている。
【００２５】
視聴端末５は、視聴者が操作するリモコン装置等の指示に従ってチャンネル選択部６によりチャンネルを選択し、選択した取得対象チャンネルからＴＳデータを取得し、取得したＴＳデータを映像再生部８で映像（動画及び音声）に再生するように構成されている。従って、チャンネル選択部６で、受信用チャンネルを選択した場合には、受信機１で受信している放送中の番組を再生し、他方、転送用チャンネルを選択した場合には、収録済番組記憶部４に蓄積されている収録済番組を再生することになる。更に、視聴端末５は、緊急放送を検出し、緊急放送に応じた緊急動作を行うように構成されている。その為に、緊急警報検出部７は、取得したＴＳデータ中に含まれる緊急情報記述子の有無を判定し、緊急情報記述子を検出するように構成されており、制御機能部９は、緊急情報記述子が検出された場合に、自動的に電源をＯＮしたり、音量を大きくするなどの緊急動作を処理するように構成されている。
本発明では特に、緊急情報記述子が検出された場合に、制御機能部９は、転送用チャンネルからの収録済番組を取得中か、あるいは受信用チャンネルからの放送中の番組を取得中かを判定し（収録済番組を再生中か、あるいは放送中の番組を再生中か判定することと同等）、放送中の番組を取得中（放送中の番組を再生中と同等）には、前述の緊急動作を処理し、収録済番組を取得中（収録済番組を再生中と同等）には、ホームサーバ２に対して収録済番組の転送を停止する要求を行い、ＴＳデータを取得する取得対象チャンネルを、再生用チャンネルから転送用チャンネルに切り替える処理を、チャンネル選択部６に指示するように構成されている。
【００２６】
上述のように構成することにより、収録済番組を再生している状態であっても、受信中の緊急放送のＴＳデータに含まれる緊急情報記述子が、ホームサーバ２を介して、視聴端末５に伝達される。そのフローを図を用いて説明する。
図２は、本発明において収録済番組再生中に受信した緊急情報記述子の流れを示す図である。
受信中の緊急放送のＴＳデータ（緊急情報記述子を含む）が、受信機１からホームネットワーク１０の受信用チャネルに送出され、ホームサーバ２で取得される。ホームサーバ２の緊急警報検出部１１では、ＴＳデータから緊急情報記述子を検出し、緊急警報送出部１２に対して緊急情報の通知（緊急情報記述子を含む）が伝達される。緊急警報送出部１２は、送出中の収録済番組のＴＳデータに緊急情報記述子を多重化し、多重化したＴＳデータを転送用チャネルに送出する。視聴端末５の緊急警報検出部７は、取得中のＴＳデータから緊急情報記述子を検出する。
【００２７】
次に、ホームサーバ２と視聴端末５の動作について説明する。まず、ホームサーバ２の動作について説明する。
図３は、ホームサーバの動作フローを示す図である。ホームサーバ２は、放送中の番組のＴＳデータを、ホームネットワーク１０の受信用チャネルから取得する（ＳＴ１）。そして、取得したＴＳデータの解析を行う（ＳＴ２）。具体的には、緊急警報検出部１１により、緊急情報記述子の有無を判定する。取得したＴＳデータから緊急情報記述子が検出されなかった場合には（ＳＴ３でＮＯ）、放送中の番組が緊急放送（緊急警戒放送）ではないので、通常の動作として、このＴＳデータをライブ番組としてライブ番組記憶部３に記憶し（ＳＴ４）、次のＴＳデータの処理の為にＳＴ１へ移行する。
これに対し、緊急情報記述子を検出した場合には（ＳＴ３でＹＥＳ）、放送中の番組が緊急放送であるので、緊急時の処理へ移行する（ＳＴ５〜ＳＴ７）。収録済番組をホームネットワーク１０の転送用チャンネルへ送出しているか判断し、送出していない場合には（ＳＴ５でＮＯ）、検出した緊急情報記述子を用いることなく、次のＴＳデータの取得（ＳＴ１）に移行する。他方、収録済番組を送出している場合には（ＳＴ５でＹＥＳ）、緊急警報送出部１２により送出中の収録済番組のＴＳデータに、検出した緊急情報記述子を多重化する（ＳＴ６）。つまり、収録済番組のデジタルデータに対して緊急情報記述子を多重化させたＴＳデータを生成する。そして、このように多重化したＴＳデータをホームネットワーク１０の転送用チャンネルに送出し（ＳＴ７）、ＳＴ１へ戻る。
【００２８】
次に、視聴端末５の動作について説明する。
図４は、視聴端末の動作フローを示す図である。視聴端末５は、チャンネル選択部６によって選択された取得対象チャンネルからＴＳデータを取得する（ＳＴ１１）。そして、取得したＴＳデータの解析を行う（ＳＴ１２）。具体的には、緊急警報検出部７により、緊急情報記述子の有無を判定する。取得したＴＳデータから緊急情報記述子が検出されなかった場合には（ＳＴ１３でＮＯ）、緊急放送の放送中ではないので、通常の動作として、このＴＳデータを映像再生部８に渡し、映像再生部８により映像として再生する。そして、次のＴＳデータの取得し（ＳＴ１１）に戻る。
これに対し、緊急情報記述子を検出した場合には（ＳＴ１３でＹＥＳ）、緊急放送が放送されているので、緊急時の処理へ移行する（ＳＴ１５〜ＳＴ１９）。収録済番組をホームネットワーク１０の転送用チャンネルから取得しているか判断し、転送用チャンネルから取得していない場合（受信用チャンネルから取得している場合）には（ＳＴ１５でＮＯ）、予め定義されている緊急動作を処理する（ＳＴ１６）。例えば、音量を大きくする。他方、収録済番組を取得している場合には（ＳＴ１５でＹＥＳ）、ホームサーバ２に対して収録済番組転送を停止する要求を行う（ＳＴ１７）。更に、ＴＳデータを取得しるチャンネル（取得対象のチャンネル）を、転送用チャンネルから受信用チャンネルに切り替える処理を、チャンネル選択部６に指示する（ＳＴ１８）。更に、予め定義されている緊急動作を処理する（ＳＴ１９）。チャンネル選択部６は、指示に従って転送用チャンネルから受信用チャンネルに、取得対象チャンネルを切り替える。これにより、以降のＴＳデータ取得（ＳＴ１１）で、受信用チャンネルから放送中の番組のＴＳデータを取得することになる。尚、ＳＴ１３で、連続して緊急情報記述子を検出した場合や、すでに検出している緊急情報記述子と同等の緊急事態を示す緊急情報記述子を検出した場合には、ＮＯと判定し、通常の映像再生を行う（ＳＴ１４）ことも有効である。
【００２９】
視聴端末５からサーバ２へ収録済番組（視聴端末向け番組の例）の送出を停止する指示があった場合には、サーバ２は、収録済番組の送出を停止する。その後、再開の指示があった場合には、停止した状態からの続きのＴＳデータを送出する。
【００３０】
上述の実施例では、放送中の番組以外の視聴端末向け番組として、収録済番組を例に説明したが、デジタル放送から受信した番組以外をソースとしても構わない。例えば、ビデオテープやＤＶＤ等の記憶媒体に記憶されている番組を視聴端末向け番組することが考えられる。
【００３１】
上述の実施例では、放送中の番組以外の視聴端末向け番組を、サーバ内部で記憶している例を示したが、サーバの外部から取得し、転送する形態も有効である。例えば、他の通信装置や他の記憶媒体再生装置を介して、他の通信媒体や他の記憶媒体から視聴端末向け番組を取得することも考えられる。
【００３２】
受信するデジタル放送波は、無線であっても、ケーブル等の有線であっても構わない。
【００３３】
上述の実施例では、番組を構成するＴＳデータとして、映像を符号化したデータ及び音声を符号化したデータを想定しているが、音声を符号化したデータのみであっても構わない。例えば、ラジオ放送などにおいても本発明は有効である。また、映像を符号化したデータのみであっても構わない。従って、この例では、映像再生部８で、映像と音声を再生しているが、音声のみ、あるいは映像のみを再生する再生部であっても構わない。
【００３４】
【発明の効果】
本発明においては、サーバ（例えば、ホームサーバ）側で、放送中の番組が緊急放送であるかを判定し、緊急放送である場合に、ネットワークを介して視聴端末に、緊急放送の放送中であることを識別する情報（例えば、緊急情報記述子）を、放送中の番組以外の視聴端末向け番組（例えば、収録済番組）に多重化して通知し、視聴端末は、サーバからの視聴端末向け番組から上記通知を検出した場合に、緊急放送である上記放送中の番組を選択し、再生するので、放送中の番組以外の番組（例えば、収録済番組）を再生中にも、緊急放送が流れると、自動的に緊急放送に切り替わるようになる。
このため、緊急放送の視聴漏れが無くなり、地震により津波情報等の重要な情報を確実に入手できる。
【００３５】
また、収録済番組の転送を停止する処理を行うので、緊急放送終了後、停止位置より収録番組の視聴を再開することができる。
【図面の簡単な説明】
【図１】本発明に係るネットワーク型緊急放送装置の構成を示す図である。
【図２】本発明において収録済番組再生中に受信した緊急情報記述子の流れを示す図である。
【図３】ホームサーバの動作フローを示す図である。
【図４】視聴端末の動作フローを示す図である。
【図５】従来技術におけるホームサーバ視聴システムの構成を示す図である。
【図６】従来技術において収録済番組再生中に受信した緊急情報記述子の流れを示す図である。
【符号の説明】
１  受信機、２  ホームサーバ、３  ライブ番組記憶部、４  収録済番組記憶部、５  視聴端末、６  チャンネル選択部、７  緊急警報検出部、８  映像再生部、９  制御機能部、１０  ホームネットワーク、１１  緊急警報検出部、１２
緊急警報送出部。
【図１】
2004289279.tif 000003
【図２】
2004289279.tif 000004
【図３】
2004289279.tif 000005
【図４】
2004289279.tif 000006
【図５】
2004289279.tif 000007
【図６】
2004289279.tif 000008